(57)【要約】【課題】配線コネクタの引き抜き作業を簡単にできる配線コネクタ抜脱工具、及び配線コネクタ抜脱工具の使用方法を提供する。【解決手段】第１アーム２０の自由端２６に第２アーム３０に向かって突出されたロック解除爪２９を有する。第２アーム３０の自由端３３には、第１アーム２０に向かって突出された係合爪３９を有する。係合爪３９は、第２アーム３０の延びる方向とは直交する幅方向に延在して配置されている。オスコネクタハウジングのロック爪をロック解除爪２９でロック解除して、オスコネクタハウジングを把持した状態で回転すると、係合爪３９がメスコネクタハウジングの端面を離間方向に押圧する。この押圧により両コネクタハウジングが離間するため、配線コネクタの引き抜き作業を簡単にできる。【選択図】図１
2015191726.tif 000002
【特許請求の範囲】
【請求項１】
相互に開閉自在に連結された第１アーム及び第２アームと、
前記第１アームの自由端に設けられて前記第２アームに向かって突出されたロック解除爪を有し、
前記第２アームの自由端には、前記第１アームに向かって突出された係合爪であって、前記第２アームの延びる方向とは直交する幅方向に延在して配置され、または複数個が前記直交する幅方向に配置された係合爪を有する配線コネクタ抜脱工具。
【請求項２】
前記第１アーム及び第２アームには、それぞれ操作者が手で握られる握り部を有し、
前記各自由端は各握り部に対して同じ幅方向にオフセットして配置されている請求項１に記載の配線コネクタ抜脱工具。
【請求項３】
前記第１アームと前記第２アームは、弾性手段にて開く方向に付勢されている請求項１または請求項２に記載の配線コネクタ抜脱工具。
【請求項４】
前記ロック解除爪は、前記係合爪よりも横断面積が狭く形成されている請求項１乃至請求項３のうちいずれか１項に記載の配線コネクタ抜脱工具。
【請求項５】
前記第２アームの自由端は、前記第２アームの握り部から下方へオフセットして配置されている請求項１乃至請求項４のうちいずれか１項に記載の配線コネクタ抜脱工具。
【請求項６】
前記第１アームの自由端は、前記第１アームの握り部から下方へオフセットして配置されている請求項５に記載の配線コネクタ抜脱工具。
【請求項７】
前記係合爪及び前記ロック解除爪の少なくともいずれか一方が、前記各自由端に対して着脱可能に取付けられている請求項１乃至請求項６のうちいずれか１項に記載の配線コネクタ抜脱工具。
【請求項８】
相互に開閉自在に連結された第１アーム及び第２アームと、
前記第１アームの自由端に設けられて前記第２アームに向かって突出されて、第１コネクタハウジングの上面側に設けられたロック爪を解除するロック解除爪を有し、
前記第２アームの自由端には、前記第１アームに向かって突出されるとともに、前記第１コネクタハウジングの下面に当接した状態で前記第１アームと第２アームが回転操作された際に前記第１コネクタハウジングに対して嵌合された第２コネクタハウジングの嵌合側端面と前記第１コネクタハウジングの下面に設けられたフランジに対して係合する係合爪であって、前記第２アームの延びる方向とは直交する幅方向に延在して配置され、または複数個が前記直交する幅方向に配置された係合爪を有する配線コネクタ抜脱工具。
【請求項９】
請求項１乃至請求項８のいずれか１項に記載の配線コネクタ抜脱工具の使用方法であって、
前記配線コネクタ抜脱工具の第１アーム及び第２アームの各握り部を手で握って、
ロック爪を有する第１コネクタハウジングの下面に対して前記係合爪で当接するとともに、前記第１コネクタハウジングのロック爪に対して前記ロック解除爪を当接する段階と、
前記第１アームと第２アームを閉じて、前記ロック解除爪で前記ロック爪によるロックを解除する段階と、
前記第１アームと第２アームを、回転操作させて、前記係合爪を前記第１コネクタハウジングが嵌合している相手の第２コネクタハウジングの嵌合側端面に少なくとも係合させて前記ロック爪を有する第１コネクタハウジングを反嵌合方向へ抜き出す段階を含む配線コネクタ抜脱工具の使用方法。
【発明の詳細な説明】
【技術分野】
【０００１】
本発明は、配線コネクタ抜脱工具及び配線コネクタ抜脱工具の使用方法に関する。
【背景技術】
【０００２】
配線コネクタは、オス・メスのハウジングが相互に嵌合されることにより、それぞれのハウジングに連結されている配線を電気的に接続する。前記オス・メスのハウジングは、一方のハウジング、例えば、オスのハウジングに設けられたロック爪が自身の弾性により、メスのハウシングに係合することにより、ロックされて容易に嵌合が解除されないようにされている。従って、オス・メスのハウジングを相互に分離する場合、前記ロック爪を解除する必要がある。
【０００３】
特許文献１には、光コネクタ脱着工具が提案されている。前記光コネクタ脱着工具は、Ｕ型のアームと、前記アームの両自由端の内側に設けられた一対のゴム弾性体とを有し、一方の自由端の先端には内方に折曲げされた折曲げ部が形成されている。特許文献１では前記折曲げ部にてＬＣ型光コネクタのロック爪を押圧することによりロックを解除し、この状態で両前記折曲げ部に対向する側のアームのゴム弾性体と前記ロック爪とでＬＣ型コネクタのプーツ部を挟み込みすることにより、アダプタからコネクタを脱着する。
【先行技術文献】
【特許文献】
【０００４】
【特許文献１】特開２００８-１８０８１８号公報
【発明の概要】
【発明が解決しようとする課題】
【０００５】
従来、ロック状態の配線コネクタの分離を作業者が手作業で行う場合、配線コネクタの大きさが小さいため、作業者は手袋を手に装着した状態で行うことは困難である。このため、素手にて前記ドライバー等の工具も使用しながら、前記ロック爪を押圧してロックを解除した後、両ハウジングを分離するようにしている。この分離する場合の引き抜き荷重は高いため、誤って手を滑らせるなどした場合、配線コネクタの周囲の部材にて、手に切り傷、或いは打撲等を負う虞がある。
【０００６】
特許文献１では、ロック爪の解除は簡単に行うことができる利点がある。しかし、光コネクタ脱着工具の原理を、配線コネクタのオス・メスのハウジングの脱着に採用する場合、配線コネクタの引き抜き荷重が高いため、ロック爪を解除した後の引き抜き作業では、誤って手を滑らせる等が生じる場合もあり得る。この場合は、配線コネクタの周囲の部材にて、手に切り傷、或いは打撲等を負う虞は依然として解消できない。
【０００７】
本発明の目的は、配線コネクタの引き抜き作業を簡単にできる配線コネクタ抜脱工具、及び配線コネクタ抜脱工具の使用方法を提供することにある。
【課題を解決するための手段】
【０００８】
上記問題点を解決するために、本発明の配線コネクタ抜脱工具は、相互に開閉自在に連結された第１アーム及び第２アームと、前記第１アームの自由端に設けられて前記第２アームに向かって突出されたロック解除爪を有し、前記第２アームの自由端には、前記第１アームに向かって突出された係合爪であって、前記第２アームの延びる方向とは直交する幅方向に延在して配置され、または複数個が前記直交する幅方向に配置された係合爪を有するものである。
【０００９】
また、前記第１アーム及び第２アームには、それぞれ操作者が手で握られる握り部を有し、前記各自由端は各握り部に対して同じ幅方向にオフセットして配置されていてもよい。
【００１０】
また、第１アームと前記第２アームは、弾性手段にて開く方向に付勢されていてもよい。
また、前記ロック解除爪は、前記係合爪よりも横断面積が狭く形成されていてもよい。
【００１１】
また、前記第２アームの自由端は、前記第２アームの握り部から下方へオフセットして配置されていてもよい。
また、前記第１アームの自由端は、前記第１アームの握り部から下方へオフセットして配置されていてもよい、
また、前記係合爪及び前記ロック解除爪の少なくともいずれか一方が、前記各自由端に対して着脱可能に取付けられていてもよい。
【００１２】
また、本発明の配線コネクタ抜脱工具は、相互に開閉自在に連結された第１アーム及び第２アームと、前記第１アームの自由端に設けられて前記第２アームに向かって突出されて、第１コネクタハウジングの上面側に設けられたロック爪を解除するロック解除爪を有し、前記第２アームの自由端には、前記第１アームに向かって突出されるとともに、前記第１コネクタハウジングの下面に当接した状態で前記第１アームと第２アームが回転操作された際に前記第１コネクタハウジングに対して嵌合された第２コネクタハウジングの嵌合側端面と前記第１コネクタハウジングの下面に設けられたフランジに対して係合する係合爪であって、前記第２アームの延びる方向とは直交する幅方向に延在して配置され、または複数個が前記直交する幅方向に配置された係合爪を有するものである。
【００１３】
また、本発明の配線コネクタ抜脱工具の使用方法は、前記配線コネクタ抜脱工具の第１アーム及び第２アームの各握り部を手で握って、ロック爪を有する第１コネクタハウジングの下面に対して前記係合爪で当接するとともに、前記第１コネクタハウジングのロック爪に対して前記ロック解除爪を当接する段階と、前記第１アームと第２アームを閉じて、前記ロック解除爪で前記ロック爪によるロックを解除する段階と、前記第１アームと第２アームを、回転操作させて、前記係合爪を、前記第１コネクタハウジングが嵌合している相手の第２コネクタハウジングの嵌合側端面に少なくとも係合させて前記ロック爪を有する前記第１コネクタハウジングを反嵌合方向へ抜き出す段階を含むものである。
【発明の効果】
【００１４】
本発明によれば、配線コネクタの引き抜き作業を簡単にできる効果を奏する。
【図面の簡単な説明】
【００１５】
【図１】一実施形態の配線コネクタ抜脱工具を上方から見た斜視図。
【図２】一実施形態の配線コネクタ抜脱工具を下方から見た斜視図。
【図３】配線コネクタ抜脱工具の第１アームの側面図。
【図４】第１アームの底面図。
【図５】配線コネクタ抜脱工具の第２アームの側面図。
【図６】第２アームの底面図。
【図７】第１アームと第２アームの連結構造の斜視図。
【図８】第１アームの自由端の斜視図。
【図９】ロック解除爪の斜視図。
【図１０】第２アームの自由端の斜視図。
【図１１】係合爪の斜視図。
【図１２】配線コネクタの嵌合状態の断面図。
【図１３】配線コネクタ抜脱工具の操作の説明図。
【図１４】配線コネクタを抜脱作業により分離された状態の断面図。
【図１５】（ａ）は他の実施形態の係合爪の斜視図、（ｂ）は他の実施形態の係合爪の平面図。
【発明を実施するための形態】
【００１６】
以下、本発明の配線コネクタ抜脱工具を具体化した一実施形態について図１〜図１４を参照して説明する。
図１、図２に示すように、配線コネクタ抜脱工具１０は、基端で相互に開閉自在に連結された第１アーム２０と第２アーム３０を備えている。なお、本実施形態では、配線コネクタ抜脱工具１０は、右手利き用である。
【００１７】
図１〜図４に示すように第１アーム２０は、合成樹脂製であって、基端部２１から順に接続部２２、握り部２４、及び自由端２６を有する。なお、第１アーム２０の材質は、合成樹脂に限定するものではなく、他の材質にて形成してもよい。
【００１８】
図１、図４に示すように基端部２１の端面には斜め下方へ突出した一対の軸支部２３が設けられている。図１、図７に示すように軸支部２３間には支軸１５が架設されて、前記支軸１５に前記第２アーム３０が回動自在に支持されている。
【００１９】
前記接続部２２は、平板状をなして斜め上方に延出されるとともに、上面が平板状の握り部２４と一体に連結されている。接続部２２の形状は、図１、図４に示すように平板状に形成されていてもよく、或いは、曲面を有するように湾曲板状であってもよい。本実施形態では、接続部２２と握り部２４とは、図３に示すように鈍角となるように連結されている。
【００２０】
図４に示すように握り部２４は、長手方向に延びた中心線Ｏ１に沿って延びる第１延出部２４Ａと、第１延出部２４Ａから、左方へ斜状に延びる第２延出部２４Ｂとを有する。
本実施形態では、配線コネクタ抜脱工具の自由端側の方向を「前方」とし、基端側を「後方」としている。また、前記中心線Ｏ１は、前記長手方向（すなわち、前後方向）に沿って延びている。また、前記中心線Ｏ１を上方から平面視したときを基準にして、人が前方を向いた状態のときの左側を左方といい、右側を右方という。なお、図４は、第１アーム２０を底面から見ているため、左右は逆に現れている。
【００２１】
握り部２４、すなわち、第１延出部２４Ａ及び第２延出部２４Ｂの上面には、滑り止め用の多数の突起２５が設けられている。
図１、図４に示すように、握り部２４の先端には、前記中心線Ｏ１から離間して平行な中心線Ｏ２を有するように左方向へオフセットされた自由端２６が、第２延出部２４Ｂよりも落差を有するように一体に形成されている。このオフセット量Ａは、この配線コネクタ抜脱工具１０にて、コネクタハウジングを把持した際に、当該コネクタハウジングから延出された複数の電線Ｗ（図１２参照）の少なくとも一部、例えば半分以上の本数分を視認できる量としている。
【００２２】
図１、図２に示すように、自由端２６の前端には、ロック解除爪２９が設けられている。すなわち、図４、図８に示すように自由端２６の前端面に嵌合溝２７が凹設されることにより、二股部２７ａが形成されている。そして、ロック解除爪２９が、自由端２６の二股部２７ａの弾性力に抗して嵌合溝２７内に対し自由端２６の下方から着脱自在可能に嵌入されている。
【００２３】
また、図８に示すように嵌合溝２７の奥部には、下向きの段部２８が形成されている。嵌合溝２７内に嵌入されたロック解除爪２９は、図９に示す側面に突出された突片２９ａが段部２８により係止されて嵌合時の位置決めがされている。
【００２４】
図９に示すように自由端２６に取付けられたロック解除爪２９の下端は、自由端２６の下面から下方に突出するように配置されるとともに、先細となるように形成されて、後述する係合爪３９の上端の横断面積よりも横断面積が狭くされている。
【００２５】
図１、図２、図５、図６に示すように第２アーム３０は、合成樹脂製であって、基端部３１から順に握り部３２、及び自由端３３を有する。なお、第２アーム３０の材質は、合成樹脂に限定するものではなく、他の材質にて形成してもよい。
【００２６】
図１、図６に示すように基端部３１の端面には後方へ突出した一対の軸支部３４が設けられている。図１、図７に示すように軸支部３４間には前記支軸１５が架設されている。第１アーム２０と第２アーム３０は、前記支軸１５に巻装された弾性手段としての捩りコイルバネ４０により、常時、開く方向へ付勢されている。そして、第１アーム２０と第２アーム３０は、軸支部２３、３４が相互に摺接する面に設けられた図示しないストッパ同士が当接するまで自由端２６、３３が開くようにされている。図１及び図２は、前記自由端２６、３３が前記捩りコイルバネ４０の付勢力により開いた状態を示している。
【００２７】
図６に示すように、握り部３２は、第１延出部３２Ａと、第２延出部３２Ｂを有する。第２延出部３２Ｂは、第１延出部３２Ａから左方へ、かつ、下方へ斜状に延びて平板状に形成されている。なお、図６は、第２アーム３０を底面から見ているため、左右は逆に現れている。図１に示すように第１延出部３２Ａは、第１アーム２０と平行に配置された場合、かつ、図６に示すように底面から見た場合に、第２アーム３０の中心線Ｏ３は第１アーム２０の中心線Ｏ１と平行となるように設けられている。
【００２８】
第１延出部３２Ａの下面には、幅方向（すなわち、左右方向）に延びるとともに断面半円柱状をなす指掛け突部３６が形成されている。指掛け突部３６の形状は、断面半円柱状に限定するものではない。指掛け突部３６は、指掛けが可能な形状であればよく、例えば半球状、角柱状等の形状であってもよい。第２延出部３２Ｂの形状は、図１、図５に示すように平板状に形成されていてもよく、或いは、曲面を有するように湾曲板状であってもよい。第１延出部３２Ａ、及び第２延出部３２Ｂの下面には、前記滑り止め用の多数の突起３５が設けられている。
【００２９】
図１、図６に示すように、握り部３２の先端には、第１延出部３２Ａに対して左方向へオフセットして配置された自由端３３が設けられている。自由端３３は、前記中心線Ｏ３と平行な中心線Ｏ４を有している。そして、自由端３３の中心線Ｏ４は中心線Ｏ３からオフセット量Ａを有するよう配置されるとともに、自由端３３は第１延出部３２Ａよりも落差を有するように配置されている。
【００３０】
また、自由端３３の下面は平面になっているとともに、図５に示すように、第１延出部３２Ａの平板状の下面から、下方へオフセット量Ｂを有するように配置されている。
前記オフセット量Ｂは、例えば、自由端３３の下面を平板上に載置した際に、当該平板と第１延出部３２Ａの下面間に、第１延出部３２Ａを握った作業者の手の指Ｈが十分に入る程度の大きさとされている。
【００３１】
図１、図２に示すように、自由端３３には、係合爪３９が設けられている。すなわち、図６、図１０に示すように自由端３３は、前端面に嵌合溝３７が凹設されることにより、二股部３７ａが形成されている。そして、係合爪３９が、自由端３３の二股部３７ａの弾性力に抗して嵌合溝３７内に対し下方から着脱自在可能に嵌入されている。
【００３２】
また、図１０に示すように嵌合溝３７の奥部には、上向きの段部３８が形成されている。前記嵌合溝３７内に上方から嵌入された係合爪３９は、図１１に示す側面に突出された突片３９ａが段部３８により係止されて嵌合時の位置決めがされている。
【００３３】
図１、図２に示すように自由端３３に取付けられた係合爪３９の上端は、自由端３３の上面から上方に突出するように配置されている。係合爪３９は、前記ロック解除爪２９に対して対向する位置に配置されていると、コネクタハウジングを好適に把持することができるため、好ましいが、厳密に対向していなくても、多少ずれて配置されていてもよい。
【００３４】
係合爪３９の上端は、第２アーム３０の延びる方向(すなわち、中心線Ｏ３が延びる方向)と直交する幅方向に延出されていて、その角部(コーナー)はアールを有する。
（実施形態の作用）
次に、配線コネクタ抜脱工具１０の使用方法を図１２〜図１４を参照して説明する。
【００３５】
図１２は、接続端子２２０を有するオスコネクタハウジング２００が、接続端子１２０を有するメスコネクタハウジング１００の嵌合孔１３０に嵌入されて、両端子が電気的に接続されている状態を示している。この状態では、オスコネクタハウジング２００の上部に設けられた、すなわち、上面側に設けられた有弾性のロック爪２１０が、メスコネクタハウジング１００の上壁のロック孔１１０内に係入された状態となっている。
【００３６】
ここで、オスコネクタハウジング２００は第１コネクタハウジングに相当するとともに、メスコネクタハウジング１００は第２コネクタハウジングに相当する。
図１に示すようにロック解除爪２９と係合爪３９とが離間した状態で、図１２に示すように、配線コネクタ抜脱工具１０の係合爪３９をオスコネクタハウジング２００の下壁（すなわち、下面）に当接した後、ロック解除爪２９をロック爪２１０の操作端２４０に当接する。この状態では、図１３に示すように、実線で示した係合爪３９は、メスコネクタハウジング１００の嵌合孔１３０の開口側の端面１４０に近接した位置にある。前記開口側の端面１４０は嵌合側端面に相当する。
【００３７】
この状態で、作業者は、捩りコイルバネ４０の弾性力に抗して、ロック爪２１０の操作端２４０を下方へ押圧して、ロック爪２１０をロック孔１１０から離脱させる。
次に、配線コネクタ抜脱工具１０を、ロック解除爪２９の軸心を中心にして回転させる。すると、図１３の矢印に示すように係合爪３９がともに回転して、メスコネクタハウジング１００の端面１４０に当接する。また、本実施形態では、図１３に示すように、オスコネクタハウジング２００の下壁にフランジ２３０等の突出部が設けられているため、回転する係合爪３９がフランジ２３０にも当接する。この結果、回転する係合爪３９により、メスコネクタハウジング１００とオスコネクタハウジング２００とがそれぞれ離間方向（すなわち、反嵌合方向）に押圧されて移動する。
【００３８】
なお、前記端面１４０及びフランジ２３０に対して係合爪３９が当接する部位は、係合爪３９の角部(コーナー)となるが、この部位はアールを有しているため、前記端面１４０及びフランジ２３０に傷付けることはない、
この後、配線コネクタ抜脱工具１０のロック解除爪２９と係合爪３９とによりオスコネクタハウジング２００を把持した状態で、図１４に示すようにオスコネクタハウジング２００をメスコネクタハウジング１００から離脱させる。
【００３９】
本実施形態によれば、以下のような効果を得ることができる。
（１）本実施形態の配線コネクタ抜脱工具１０は、相互に開閉自在に連結された第１アーム２０及び第２アーム３０を有する。第１アーム２０の自由端２６には、第２アーム３０に向かって突出されたロック解除爪２９を有する。また、第２アーム３０の自由端３３には、第１アーム２０に向かって突出された係合爪３９を有する。係合爪３９は、第２アーム３０の延びる方向とは直交する幅方向に延在して配置されている。
【００４０】
本実施形態によれば、メスコネクタハウジング１００のロック爪をロック解除爪２９でロック解除して、メスコネクタハウジング１００を把持した状態で回転すると、係合爪３９がメスコネクタハウジング１００の端面１４０（嵌合側端面）とオスコネクタハウジング２００のフランジ２３０に係合して離間方向（すなわち、反嵌合方向）に押圧する。この押圧により、オスコネクタハウジング２００（第１コネクタハウジング）が反嵌合方向へ抜き出されることにより、両コネクタハウジングが離間するため、配線コネクタの引き抜き作業を簡単にできる。
【００４１】
（２）本実施形態の配線コネクタ抜脱工具１０の第１アーム２０及び第２アーム３０には、それぞれ操作者が手で握られる握り部２４、３２を有し、自由端２６、３３は各握り部に対して同じ幅方向(左方向)にオフセットして配置されている。
【００４２】
このように構成されていると、配線コネクタ抜脱工具１０の握り部２４、３２が操作者の手で握られた際、自由端間に位置するコネクタハウジングの電線Ｗ（図１２、図１４参照）を操作者は握り部に邪魔されることなく視認できる。このため、オフセットされていない場合に比して、コネクタハウジングを配線コネクタ抜脱工具で挟持した後の抜脱作業を、コネクタハウジングに連結された電線Ｗを見ながら行うことができる。
【００４３】
（３）本実施形態の配線コネクタ抜脱工具１０では、第１アーム２０と第２アーム３０は、捩りコイルバネ４０（弾性手段）にて開く方向に付勢されている。この結果、配線コネクタ抜脱工具１０の開操作を容易に行うことができる。
【００４４】
（４）本実施形態の配線コネクタ抜脱工具１０では、ロック解除爪２９は、係合爪３９よりも横断面積が狭く形成されている。この結果、ロック解除爪２９を中心に配線コネクタ抜脱工具を回転させる際、その回転中心が定まるため回転動作をスムーズに行うことができる。
【００４５】
（５）本実施形態の配線コネクタ抜脱工具１０では、第２アーム３０の自由端３３は、第２アーム３０の握り部３２（第１延出部３２Ａ）から下方へオフセットして配置されている。この結果、本実施形態によれば、第２アームの握り部が操作者の手で握られた際、オフセットされた分の握りのスペースを確保できるため、オフセットされていない場合に比して、コネクタハウジングを配線コネクタ抜脱工具で挟持する際、配線コネクタ抜脱工具１０を斜状に配置することなく、抜脱作業がし易くなる。
【００４６】
（６）本実施形態の配線コネクタ抜脱工具１０では、第１アーム２０の自由端２６は、第１アーム２０の握り部２４から下方へオフセットして配置されている。上記構成により、第２アーム３０の自由端３３とともに第１アーム２０の自由端２６が同方向へオフセットされていない場合に比して、開閉時の操作量を軽減できるとともに、工具自体が大型化することがない。
【００４７】
（７）本実施形態の配線コネクタ抜脱工具１０は、係合爪３９及びロック解除爪２９の両方が、自由端２６、３３に対して着脱可能に取付けられている。この結果、本実施形態によれば、大きさの異なるコネクタハウジングに対しては、その大きさに応じた係合爪３９及びロック解除爪２９を取付けて使用することができる。このため、配線コネクタ抜脱工具１０自体を、コネクタハウジングの大きさに応じて複数の種類を用意する必要がない。
【００４８】
また、係合爪またはロック解除爪のいずれか一方に傷等がついて使用できなくなった場合には、新しいものと交換することもできる。
（８）本実施形態の配線コネクタ抜脱工具１０の使用方法は、まず、第１アーム２０及び第２アーム３０の各握り部２４、３２を手で握って、ロック爪２１０を有するコネクタハウジングの下面に対して係合爪３９で当接する。また、コネクタハウジングのロック爪２１０に対してロック解除爪２９を当接する。次に、第１アーム２０と第２アーム３０を閉じて、ロック解除爪２９でロック爪によるロックを解除する。次に、第１アーム２０と第２アーム３０を回転操作させて、係合爪３９を、コネクタハウジングが嵌合している相手のコネクタハウジングに係合（当接）させてロック爪２１０を有するコネクタハウジングを反嵌合方向（離間方向）へ抜き出す。この結果、両コネクタハウジングが離間するため、配線コネクタの引き抜き作業を簡単にできる。
【００４９】
なお、本実施形態は以下のように変更してもよい。
・前記実施形態では、係合爪３９を第２アーム３０の延びる方向とは直交する幅方向に延在して配置したが、この構成に限定されるものではない。例えば図１５（ａ）、図１５（ｂ）に示すように、係合爪３９を、複数個(例えば２個以上)設けて第２アーム３０の延びる方向と直交する幅方向に配置してもよい。このように構成しても、配線コネクタ抜脱工具１０を回転した際に、端面１４０に係合して押圧することが可能である。なお、複数の係合爪３９は、図１０に示す嵌合溝３７に対して着脱自在に嵌合されるベース部３９ｂから上方に突出して形成されたものである。
【００５０】
・前記実施形態では、自由端２６、３３は各握り部に対して同じ幅方向(左方向)にオフセットした。この場合は、右手で配線コネクタ抜脱工具１０を把持する場合に好都合であるが、自由端２６、３３は各握り部に対して同じ幅方向(右方向)にオフセットしてもよい。この場合は、配線コネクタ抜脱工具１０は左手利き用となり。左手で配線コネクタ抜脱工具１０を把持する場合に好都合である。
【００５１】
・配線コネクタ抜脱工具１０の自由端２６、３３の各握り部に対するオフセットをなくしてもよい。
・前記実施形態では、係合爪３９及びロック解除爪２９の両方を、自由端２６、３３に対して着脱可能に取付けられているが、いずれか一方のみを自由端に対して着脱自在に取付けられていてもよい。
【００５２】
・また、係合爪３９及びロック解除爪２９の両方を、自由端２６、３３に対して離脱不能に一体に設けてもよい。
・前記実施形態では、図１３に示すように、オスコネクタハウジング２００の下壁にフランジ２３０等の突出部が設けられていたが、省略されていてもよい。この場合は、係合爪３９が回転した際、メスコネクタハウジング１００の端面１４０のみに当接することにより、メスコネクタハウジング１００とオスコネクタハウジング２００とをそれぞれ離間方向に押圧して移動させることが可能である。
【００５３】
・前記実施形態では、第１アーム２０と第２アーム３０とを支軸１５を介して開閉回動自在に連結したが、第１アーム２０と第２アーム３０の両基端を、折曲げられた弾性手段としての板ばねを介して連結してもよい。前記板ばねにより、両アームの自由端を開状態に常時保持することが可能である。
【００５４】
・前記実施形態では、配線コネクタ抜脱工具１０にてロック状態を解除した後、配線コネクタ抜脱工具１０を回転するようにした。両コネクタハウジングの嵌入状態を軽い引き抜き荷重で解消できる場合は、配線コネクタ抜脱工具１０を回転させることなく、そのままオスコネクタハウジング２００を配線コネクタ抜脱工具１０で把持した状態で引き抜きしてもよい。
【００５５】
・前記実施形態では、ロック解除爪２９、及び係合爪３９を二股部２７ａ，３７ａの嵌合溝２７、３７にそれぞれ着脱自在に嵌合したが、着脱自在の手段は嵌合に限定するものではない。例えば、ロック解除爪２９、及び係合爪３９に雄ネジを設け、自由端に雌ネジ孔を設けて、ロック解除爪２９、及び係合爪３９を螺合により着脱自在にしてもよい。また、逆に自由端に雄ネジを設け、ロック解除爪２９及び係合爪３９に雌ネジ孔を設けるようにしてもよい。
【符号の説明】
【００５６】
１０…配線コネクタ抜脱工具、２０…第１アーム、２２…接続部、
２３…軸支部、２４…握り部、２４Ａ…第１延出部、２４Ｂ…第２延出部、
２６…自由端、２７…嵌合溝、２７ａ…二股部、２９…ロック解除爪、
３０…第２アーム、３１…基端部、３２…握り部、３２Ａ…第１延出部、
３２Ｂ…第２延出部、３３…自由端、３４…軸支部、３５…突起、
３６…指掛け突部、３９…係合爪、Ｏ１〜Ｏ４…中心線、
１００…メスコネクタハウジング（第２コネクタハウジング）、１４０…端面、
２００…オスコネクタハウジング（第１コネクタハウジング）、２１０…ロック爪、
２３０…フランジ。
【図１】
2015191726.tif 000003
【図２】
2015191726.tif 000004
【図３】
2015191726.tif 000005
【図４】
2015191726.tif 000006
【図５】
2015191726.tif 000007
【図６】
2015191726.tif 000008
【図７】
2015191726.tif 000009
【図８】
2015191726.tif 000010
【図９】
2015191726.tif 000011
【図１０】
2015191726.tif 000012
【図１１】
2015191726.tif 000013
【図１２】
2015191726.tif 000014
【図１３】
2015191726.tif 000015
【図１４】
2015191726.tif 000016
【図１５】
2015191726.tif 000017